【手続補正書】
【提出日】平成18年1月18日(2006.1.18)
【手続補正１】
【補正対象書類名】明細書
【補正対象項目名】特許請求の範囲
【補正方法】変更
【補正の内容】
【特許請求の範囲】
【請求項１】  動画送信装置と、
前記動画送信装置と通信路を介して接続された、前記動画送信装置から所定の圧縮方式で圧縮された符号化データ・ストリームを受信して動画を再生する動画再生装置と、
からなる動画再生システムであって、
前記動画再生装置は、ユーザによる操作に応じて再生条件を設定する再生条件設定手段を有し、前記再生条件設定手段により設定された再生条件を前記動画送信装置へ送信し、
前記動画送信装置は、前記動画再生装置より受信した再生条件に応じて符号化データ・ストリームの再構成方法を決定する再構成方法決定手段と、この再構成方法決定手段により決定された再構成方法に従って前記動画再生装置に送信する符号化データ・ストリームの再構成を行う再構成手段とを有することを特徴とする動画再生システム。
【請求項２】  動画送信装置と、
前記動画送信装置と通信路を介して接続された、前記動画送信装置から所定の圧縮方式で圧縮された符号化データ・ストリームを受信して動画を再生する動画再生装置と、
からなる動画再生システムであって、
前記動画再生装置は、ユーザによる操作に応じて再生条件を設定する再生条件設定手段と、この再生条件設定手段により設定された再生条件に応じて符号化データ・ストリームの再構成方法を決定する再構成方法決定手段とを有し、前記再構成方法決定手段により決定された再構成方法を前記動画送信装置へ送信し、
前記動画送信装置は、前記動画再生装置より受信した再構成方法に従って前記動画再生装置へ送信する符号化データ・ストリームの再構成を行う再構成手段を有することを特徴とする動画再生システム。
【請求項３】  動画ソースと、この動画ソースより所定の圧縮方式で圧縮された符号化データ・ストリームを取り込み動画を再生する動画再生装置とからなる動画再生システムであって、
前記動画再生装置は、ユーザによる操作に応じて再生条件を設定する再生条件設定手段と、この再生条件設定手段により設定された再生条件に応じて符号化データ・ストリームの再構成方法を決定する再構成方法決定手段と、前記動画ソースより取り込まれる符号化データ・ストリームを、前記再構成方法決定手段により決定された再構成方法に従って再構成する再構成手段とを有することを特徴とする動画再生システム。
【請求項４】  前記再生条件には、表示サイズ、表示範囲、画質、色成分、フレームレートのうちの少なくとも１つに関する条件が含まれることを特徴とする請求項１、２又は３に記載の動画再生システム。
【請求項５】  前記再生条件設定手段は、ユーザによる動画表示ウィンドウのサイズ変更操作に応答して、表示サイズに関する条件を変更することを特徴とする請求項４に記載の動画再生システム。
【請求項６】  前再生条件設定手段は、ユーザによる動画表示ウィンドウの選択操作に応答して、表示サイズに関する条件を変更することを特徴とする請求項４に記載の動画再生システム。
【請求項７】  前記再生条件設定手段は、ユーザによるパン操作又はチルト操作に応答して、表示範囲に関する条件を変更することを特徴とする請求項４に記載の動画再生システム。
【請求項８】  前記再生条件設定手段は、ユーザによるズーム操作に応答して、表示範囲に関する条件を変更することを特徴とする請求項４に記載の動画再生システム。
【請求項９】  前記再生条件設定手段は、ユーザによる画質とフレームレートのバランスの調整操作に応答して、画質及びフレームレートに関する条件を変更することを特徴とする請求項４に記載の動画再生システム。
【請求項１０】  通信路を介し接続された動画送信装置より、所定の圧縮方式によって圧縮された符号化データ・ストリームを受信し動画を再生する動画再生装置であって、
ユーザによる操作に応じて再生条件を設定する再生条件設定手段を有し、
前記再生条件設定手段により設定された再生条件を前記動画送信装置へ送信することにより、前記動画送信装置より、当該再生条件に応じて決定された再構成方法に従って再構成された符号化データ・ストリームを受信することを特徴とする動画再生装置。
【請求項１１】  通信路を介し接続された動画送信装置より、所定の圧縮方式によって圧縮された符号化データ・ストリームを受信し動画を再生する動画再生装置であって、
ユーザによる操作に応じて再生条件を設定する再生条件設定手段と、
前記再生条件手段により設定された再生条件に応じて符号化データ・ストリームの再構成方法を決定する再構成方法決定手段とを有し、
前記再構成方法決定手段により決定された再構成方法を前記動画送信装置へ送信することにより、前記動画送信装置より、当該再構成方法に従って再構成された符号化データ・ストリームを受信することを特徴とする動画再生装置。
【請求項１２】  通信路を介し接続された動画再生装置へ、所定の圧縮方式によって圧縮された符号化データ・ストリームを送信する動画送信装置であって、
前記動画再生装置より受信した、ユーザによる操作に応じて設定された再生条件に応じて、符号化データ・ストリームの再構成方法を決定する再構成方法決定手段と、
前記再生方法決定手段により決定された再構成方法に従って前記動画再生装置へ送信する符号化データ・ストリームの再構成を行う再構成手段とを有することを特徴とする動画送信装置。
【請求項１３】  所定の圧縮方式によって圧縮された符号化データ・ストリームより動画を再生する動画再生方法であって、
ユーザによる操作に応じて再生条件を設定する再生条件設定ステップと、
前記再生条件設定ステップにより設定された再生条件に応じて符号化データ・ストリームの再構成方法を決定する再構成方法決定ステップと、
符号化データ・ストリームを、前記再構成方法決定手段により決定された再構成方法に従って再構成する再構成ステップと、
前記再構成ステップによって再構成後の符号化データ・ストリームより動画を再生する再生ステップとを有することを特徴とする動画再生方法。
【請求項１４】  前記再生条件設定ステップは、表示サイズ、表示範囲、画質、色成分、フレームレートのうちの少なくとも１つに関する条件を設定することを特徴とする請求項１３に記載の動画再生方法。
【請求項１５】  前記再生条件設定ステップは、ユーザによる動画表示ウィンドウのサイズ変更操作に応答して、表示サイズに関する条件を変更することを特徴とする請求項１４に記載の動画再生方法。
【請求項１６】  前再生条件設定ステップは、ユーザによる動画表示ウィンドウの選択操作に応答して、表示サイズに関する条件を変更することを特徴とする請求項１４に記載の動画再生システム。
【請求項１７】  前記再生条件設定ステップは、ユーザによるパン操作又はチルト操作に応答して、表示範囲に関する条件を変更することを特徴とする請求項１４に記載の動画再生方法。
【請求項１８】  前記再生条件設定ステップは、ユーザによるズーム操作に応答して、表示範囲に関する条件を変更することを特徴とする請求項１４に記載の動画再生方法。
【請求項１９】  前記再生条件設定ステップは、ユーザによる画質とフレームレートのバランスの調整操作に応答して、画質及びフレームレートに関する条件を変更することを特徴とする請求項１４に記載の動画再生方法。
【請求項２０】  請求項１３乃至１９のいずれか１項に記載の動画再生方法の再生条件設定ステップ、再構成方法決定ステップ及び再構成ステップを１つ又は複数のコンピュータに実行させるためのプログラム。
【請求項２１】  請求項２０に記載のプログラムが記録された、コンピュータが読み取り可能な記録媒体。
【手続補正２】
【補正対象書類名】明細書
【補正対象項目名】００１０
【補正方法】変更
【補正の内容】
【００１０】
【課題を解決するための手段】
前記目的を達成するため、本発明の動画再生システムは、請求項１に記載されるように、動画送信装置と、この動画送信装置と通信路を介して接続された、前記動画送信装置から所定の圧縮方式で圧縮された符号化データ・ストリームを受信して動画を再生する動画再生装置とからなる動画再生システムであって、前記動画再生装置は、ユーザによる操作に応じて再生条件を設定する再生条件設定手段を有し、前記再生条件設定手段により設定された再生条件を前記動画送信装置へ送信し、前記動画送信装置は、前記動画再生装置より受信した再生条件に応じて符号化データ・ストリームの再構成方法を決定する再構成方法決定手段と、この再構成方法決定手段により決定された再構成方法に従って前記動画再生装置に送信する符号化データ・ストリームの再構成を行う再構成手段とを有する、ことを特徴とするものである。
【手続補正３】
【補正対象書類名】明細書
【補正対象項目名】００１１
【補正方法】変更
【補正の内容】
【００１１】
また、本発明の動画再生システムは、請求項２に記載されるように、動画送信装置と、
この動画送信装置と通信路を介して接続された、前記動画送信装置から所定の圧縮方式で圧縮された符号化データ・ストリームを受信して動画を再生する動画再生装置と、からなる動画再生システムであって、前記動画再生装置は、ユーザによる操作に応じて再生条件を設定する再生条件設定手段と、この再生条件設定手段により設定された再生条件に応じて符号化データ・ストリームの再構成方法を決定する再構成方法決定手段とを有し、前記再構成方法決定手段により決定された再構成方法を前記動画送信装置へ送信し、前記動画送信装置は、前記動画再生装置より受信した再構成方法に従って前記動画再生装置へ送信する符号化データ・ストリームの再構成を行う再構成手段を有する、ことを特徴とするものである。
【手続補正４】
【補正対象書類名】明細書
【補正対象項目名】００１２
【補正方法】変更
【補正の内容】
【００１２】
また、本発明の動画再生システムは、請求項３に記載されるように、動画ソースと、この動画ソースより所定の圧縮方式で圧縮された符号化データ・ストリームを取り込み動画を再生する動画再生装置とからなる動画再生システムであって、前記動画再生装置は、ユーザによる操作に応じて再生条件を設定する再生条件設定手段と、この再生条件設定手段により設定された再生条件に応じて符号化データ・ストリームの再構成方法を決定する再構成方法決定手段と、前記動画ソースより取り込まれる符号化データ・ストリームを、前記再構成方法決定手段により決定された再構成方法に従って再構成する再構成手段とを有することを特徴とするものである。
【手続補正５】
【補正対象書類名】明細書
【補正対象項目名】００１６
【補正方法】変更
【補正の内容】
【００１６】
本発明の動画再生システムのもう１つの特徴は、請求項７に記載されるように、請求項４に記載の構成において、前記再生条件設定手段は、ユーザによるパン操作又はチルト操作に応答して表示範囲に関する条件を変更することにある。
【手続補正６】
【補正対象書類名】明細書
【補正対象項目名】００１９
【補正方法】変更
【補正の内容】
【００１９】
前記目的を達成するため、本発明の動画再生装置は、請求項１０に記載されるように、通信路を介し接続された動画送信装置より、所定の圧縮方式によって圧縮された符号化データ・ストリームを受信し動画を再生する動画再生装置であって、ユーザによる操作に応じて再生条件を設定する再生条件設定手段を有し、前記再生条件設定手段により設定された再生条件を前記動画送信装置へ送信することにより、前記動画送信装置より、当該再生条件に応じて決定された再構成方法に従って再構成された符号化データ・ストリームを受信することを特徴とするものである。
【手続補正７】
【補正対象書類名】明細書
【補正対象項目名】００２０
【補正方法】変更
【補正の内容】
【００２０】
また、本発明の動画再生装置は、請求項１１に記載されているように、通信路を介し接続された動画送信装置より、所定の圧縮方式によって圧縮された符号化データ・ストリームを受信し動画を再生する動画再生装置であって、ユーザによる操作に応じて再生条件を設定する再生条件設定手段と、前記再生条件手段により設定された再生条件に応じて符号化データ・ストリームの再構成方法を決定する再構成方法決定手段とを有し、前記再構成方法決定手段により決定された再構成方法を前記動画送信装置へ送信することにより、前記動画送信装置より、当該再構成方法に従って再構成された符号化データ・ストリームを受信することを特徴とするものである。
【手続補正８】
【補正対象書類名】明細書
【補正対象項目名】００２１
【補正方法】変更
【補正の内容】
【００２１】
前記目的を達成するため、本発明の動画送信装置は、請求項１２に記載されるように、通信路を介し接続された動画再生装置へ、所定の圧縮方式によって圧縮された符号化データ・ストリームを送信する動画送信装置であって、前記動画再生装置より受信した、ユーザによる操作に応じて設定された再生条件に応じて、符号化データ・ストリームの再構成方法を決定する再構成方法決定手段と、前記再生方法決定手段により決定された再構成方法に従って前記動画再生装置へ送信する符号化データ・ストリームの再構成を行う再構成手段とを有することを特徴とするものである。
【手続補正９】
【補正対象書類名】明細書
【補正対象項目名】００２２
【補正方法】変更
【補正の内容】
【００２２】
前記目的を達成するため、本発明の動画再生方法は、請求項１３に記載されるように、所定の圧縮方式によって圧縮された符号化データ・ストリームより動画を再生する動画再生方法であって、ユーザによる操作に応じて再生条件を設定する再生条件設定ステップと、前記再生条件設定ステップにより設定された再生条件に応じて符号化データ・ストリームの再構成方法を決定する再構成方法決定ステップと、符号化データ・ストリームを、前記再構成方法決定手段により決定された再構成方法に従って再構成する再構成ステップと、前記再構成ステップによって再構成後の符号化データ・ストリームより動画を再生する再生ステップとを有することを特徴とするものである。
【手続補正１０】
【補正対象書類名】明細書
【補正対象項目名】００２６
【補正方法】変更
【補正の内容】
【００２６】
本発明の動画再生方法のもう１つの特徴は、請求項１７に記載されるように、請求項１４に記載の構成において、前記再生条件設定ステップは、ユーザによるパン操作又はチルト操作に応答して、表示範囲に関する条件を変更することにある。